(57)【要約】      （修正有）【課題】排水機能と植物成長促進機能に優れた布製プランターを効率的に得る。【解決手段】左右線対称形の布帛の左右の側縁部を重ね合わせて筒体１０とする。切込溝１５を入れて筒体の下縁部を複数条の舌片１６に分岐させ、その複数条の舌片を筒体の内側に折り曲げて重ね合わせ、その重なり合う箇所に加熱棒を当てて貫通孔を穿設すると同時に発生する熱溶融物で複数条の舌片を融着して鉢底を形成する。鉢底が重なり合う複数条の舌片で構成され、その重なり合う舌片間に鉢底の周縁から貫通孔に到る長い隙間が放射状に発生するので、水分透過機能と植物成長促進機能に優れた布製プランターが得られる。その生産工程は、布片を打ち抜く準備工程と、左右の側縁部を重ね合わせる側縁接合工程と、舌片の先端２０を重ね合わせて鉢底を形成する鉢底形成工程との三工程だけなので、効率的に布製プランターが得られる。【選択図】図４
2017018027.tif 000002
【特許請求の範囲】
【請求項１】
左右線対称形に対向する左側縁と右側縁、および、上下対向する上縁と下縁に縁取られた四辺形の布帛（１９）によって構成され、左側縁と右側縁が線対称形に対向する横方向に布帛（１９）を折り曲げ、折り曲げて重なり合う左側縁部（１１）と右側縁部（１２）を接合して筒体（１０）が構成され、上縁部（１３）の上縁に上下対向する下縁部（１４）に５条以上の複数条の切込溝（１５）が筒体（１０）の軸芯方向に切り込まれており、その複数条の切込溝（１５）によって下縁部（１４）が５条以上の複数条の舌片（１６）に分割されて分岐しており、その各舌片（１６）の長さは、周面から軸芯に到る筒体の半径以上且つ筒体の直径以下であり、その複数条の各舌片（１６）は筒体の軸芯に向かう内側に折り曲げられ、その折り曲げられた複数条の舌片の先端（２０）が筒体（１０）の軸芯線上で重なり合っており、その軸芯線上で重なり合う複数条の舌片によって筒体の下縁側の開口が閉じられて鉢底（１７）が形成されている布製プランター。
【請求項２】
左側縁と右側縁が左右線対称形に対向する横方向に細長い複数個の縫合孔（２１）が左側縁と右側縁の各側縁に沿って四辺形の布帛（１９）の左側縁部（１１）と右側縁部（１２）にそれぞれ連続して穿設されており、その左側縁部（１１）の縫合孔（２１）と右側縁部（１２）の縫合孔（２１）は重なり合っており、その重なり合った縫合孔（２１）には偏平断面形状の偏平軸材（２２）が掬い縫いされて貫通しており、その縫合孔（２１）を貫通している偏平軸材（２２）によって、布帛（１９）の左側縁部（１１）と右側縁部（１２）が縫合されている請求項１に記載の布製プランター。
【請求項３】
布帛（１９）が熱可塑性合成繊維によって構成されており、布帛（１９）の左側縁部（１１）と右側縁部（１２）が加熱され熱溶融して嵌合孔（２１）が形成されており、その左側縁部（１１）と右側縁部（１２）に発生した熱溶融物（２３）によって、重なり合った左側縁部（１１）と右側縁部（１２）の縫合孔（２１）が融着している請求項２に記載の布製プランター。
【請求項４】
布帛（１９）が熱可塑性合成繊維によって構成されており、鉢底（１７）において重なり合った舌片の先端部分（２０）が加熱され熱溶融して貫通孔（２４）が形成されており、その貫通孔（２４）の周囲に発生した熱溶融物によって隣り合う舌片の先端（２４）が貫通孔（２４）において融着している請求項１と２と３の何れかに記載の布製プランター。
【請求項５】
筒体（１０）の上縁部（１３）が筒体（１０）の軸芯に向かう内側に折り込まれて二重になっており、その筒体（１０）の内側に折り込まれた上縁部（１３）の端縁（２６）から鉢底（１７）に到る距離（Ｌ）が、筒体（１０）の周面から軸芯に到る半径（Ｄ／２）の０．８倍以上１．２倍以下であり、その内側に折り込まれた上縁部（１３）の折り目（２５から筒体（１０）の内側に折り込まれた上縁部（１３）の端縁（２６）に到る距離（Ｈ）が、筒体（１０）の軸芯を通る直径（Ｄ）の０．４倍以上である請求項１と２と３と４の何れかに記載の布製プランター。
【請求項６】
左右の縦軸桿（２７・２７）と上下の横軸桿（２８・２８）に囲まれた一対の矩形枠（２９・２９）が並行に向かい合わせに立ち上げられており、その並行に対向する一対の矩形枠（２９・２９）の対向する縦軸桿（２７）と縦軸桿（２７）の間を連結桿（４３・４３）で連結して構成される直方体形の型枠（３０）の内部の格納スペースに格納されている請求項１と２と３と４と５の何れかに記載の布製プランター。
【請求項７】
左右の縦軸桿（２７・２７）と上下の横軸桿（２８・２８）に囲まれた一対の矩形枠（２９・２９）が並行に向かい合わせに立ち上げられており、その並行に対向する一対の矩形枠（２９・２９）の対向する縦軸桿（２７）と縦軸桿（２７）の間を連結桿（４３・４３）で連結して直方体に構成されており、その直方体の内部がプランターを格納する格納スペースとなっているプランター格納型枠。
【請求項８】
矩形枠（２９）の縦軸桿（２７）が、上段パイプ（３１）と中段パイプ（３２）と下段パイプ（３３）との３本のパイプを、上段パイプ（３１）と中段パイプ（３２）とはＴ字形継ぎ手（３４）を介して一直線上に接続し、中段パイプ（３２）と下段パイプ（３３）もＴ字形継ぎ手（３５）を介して一直線上に接続し、下段パイプ（３３）の下端にＬ字形継ぎ手（３６）を接続して構成され、一対の各矩形枠（２９・２９）が、それぞれ一対の縦軸桿（２７・２７）の対向する上段パイプ（３１）と中段パイプ（３２）を接続して対向している一対の上段Ｔ字形継ぎ手（３４）と上段Ｔ字形継ぎ手（３４）を横軸桿（２８）を介して連結すると共に、それぞれ一対の縦軸桿（２７・２７）の対向する下段パイプ（３３）の下端に接続されて対向している一対のＬ字形継ぎ手（３６）とＬ字形継ぎ手（３６）を横軸桿（２８）を介して連結して構成され、その一対の各矩形枠（２９・２９）それぞれの縦軸桿（２７）の中段パイプ（３２）と下段パイプ３３）連結して対向している一対の中段Ｔ字形継ぎ手（３４）と中段Ｔ字形継ぎ手（３４）を連結桿（４３）を介して連結して構成されており、それらの横軸桿（２８）と連結桿（４３）が上段Ｔ字形継ぎ手（３４）と中段パイプ（３２）と下端Ｌ字形継ぎ手（３６）に嵌合する太さのパイプによって構成されている請求項７に記載のプランター格納型枠。
【請求項９】
矩形枠（２９）の上段パイプ（３１）に差し込まれて下端Ｌ字形継ぎ手（３６）に達する支柱（３７）が、矩形枠（２９）の縦軸桿（２７）に装着されている請求項８に記載のプランター格納型枠。
【請求項１０】
隣り合う支柱（３７）と支柱（３７）の間が連結糸条（３８）によって連結されており、その連結糸条（３８）によって全ての矩形枠（２９）の上段パイプ（３１）に差し込まれて隣り合う支柱（３７）が数珠繋ぎになって隣り合っており、その数珠繋ぎになって隣り合う支柱（３７）と支柱（３７）の間を連結している連結糸条（３８）が、その連結する支柱（３７）と支柱（３７）の間で被覆パイプ（３９）に挿通されて被覆されている請求項９に記載のプランター格納型枠。
【請求項１１】
複数本の支柱（３７・３７・３７………）が連結糸条（３８）によって数珠繋ぎになっており、その数珠繋ぎになって隣り合う支柱（３７）と支柱（３７）の間で連結糸条（３８）が被覆パイプ（３９）に挿通されて被覆されている可変組立支柱。
【請求項１２】
筒体（１０）の内部に水槽（４０）が嵌め込まれており、その水槽（４０）の中に嵩上材（４１）が装填しており、その嵩上材（４１）の上から水槽（４０）に土留め布帛（４２）が被せられている請求項１と２と３と４と５と６の何れかに記載の布製プランター。
【請求項１３】
嵩上材（４１）が装填されており、その嵩上材（４１）の上から土留め布帛（４２）に被覆されている水槽（４０）の土留め布帛（４２）の上で鉢底（１７）が戴承されている請求項１と２と３と４と５と６の何れかに記載の布製プランター。
【発明の詳細な説明】
【技術分野】
【０００１】
本発明は、布帛によって構成された布製プランターに関するものである。
【背景技術】
【０００２】
布製プランターは、布帛を側面布片や鉢底布片等の部材に細かく裁断し、それらの布片を縫合して構成されており（例えば、特許文献１参照）、その材料である布帛が柔軟で可撓性に富み曲折自在なことからして収納、保管、輸送、陳列に嵩張らず、陶器製プランターと異なり亀裂せず取り扱い易い等の利点がある。
【先行技術文献】
【特許文献】
【０００３】
【特許文献１】特許第４９９６７００号公報（特開２０１１−１３０７６７）
【発明の概要】
【発明が解決しようとする課題】
【０００４】
側面布片や鉢底布片等を縫合する際には、それらの布片の裁断口からの解れを防ぐために裁断口を二重三重に折り返してくけ縫いし、ステッチ（縫目間隔）を細かくして縫目に作用する張力を細かく分散し、縫目からの解れを防ぐために太手の糸条が縫い糸に使用される。
【０００５】
しかし、縫製工程では、くけ縫いに手間取り、太手の縫い糸によってはステッチを細かくすることは出来ず、また、ステッチが細かくなるにつれて縫製効率が低下し、種類が多くなると布片の保管が乱雑になって取り扱いに手間取る等の問題がある。
【０００６】
また、布製プランターでは、それが柔軟で可撓性で変形し易いことから、支柱を確り固定し難く、支柱を確り支えるための支柱支持筒を布製プランターに縫合しなければならないことも、縫製効率を改善する上で問題になる。
【０００７】
本発明は、布製プランターの構造を簡素化して縫製布片を単一化し、縫製工程を単純化して効率的に布製プランターを得ることを第一の目的とする。本発明の第二の目的は、布製プランターの排水機能を改善することにある。本発明の第三の目的は、布製プランターに植物成長促進機能を付加することにある。本発明の第四の目的は、支柱を確り支え易くすることにある。本発明の第五の目的は、支柱を組み立て易くすることにある。
【課題を解決するための手段】
【０００８】
本発明に係る布製プランターは、（イ）  左右線対称形に対向する左側縁と右側縁、および、上下対向する上縁と下縁に縁取られた四辺形の布帛１９によって構成され（図１，図２）、（ロ）  左側縁と右側縁が線対称形に対向する横方向に布帛１９を折り曲げ、折り曲げて重なり合う左側縁部１１と右側縁部１２を接合して筒体１０が構成され、（ハ）  上縁部１３の上縁に上下対向する下縁部１４に５条以上の複数条の切込溝１５が筒体１０の軸芯方向に切り込まれており、その複数条の切込溝１５によって下縁部１４が５条以上の複数条の舌片１６に分割されて分岐しており（図１，図２）、（ニ）  その各舌片１６の長さは、周面から軸芯に到る筒体の半径以上且つ筒体の直径以下であり、（ホ）  その複数条の各舌片１６は筒体の軸芯に向かう内側に折り曲げられ、その折り曲げられた複数条の舌片の先端２０が筒体１０の軸芯線上で重なり合っており（図５）、（ヘ）  その軸芯線上で重なり合う複数条の舌片によって筒体の下縁側の開口が閉じられて鉢底１７が形成されていることを第１の特徴とする。
【０００９】
本発明に係る布製プランターの第２の特徴は、上記第１の特徴に加えて、（ト）  左側縁と右側縁が左右線対称形に対向する横方向に細長い複数個の縫合孔２１が左側縁と右側縁の各側縁に沿って四辺形の布帛１９の左側縁部１１と右側縁部１２にそれぞれ連続して穿設されており、（チ）  その左側縁部１１の縫合孔２１と右側縁部１２の縫合孔２１は重なり合っており、（リ）  その重なり合った縫合孔２１には偏平断面形状の偏平軸材２２が掬い縫いされて貫通しており、（ヌ）  その縫合孔２１を貫通している偏平軸材２２によって、布帛１９の左側縁部１１と右側縁部１２が縫合されている点にある。
【００１０】
本発明に係る布製プランターの第３の特徴は、上記第２の特徴に加えて、（ル）  布帛１９が熱可塑性合成繊維によって構成されており、布帛１９の左側縁部１１と右側縁部１２が加熱され熱溶融して嵌合孔２１が形成されており（図２３）、（ヲ）  その左側縁部１１と右側縁部１２に発生した熱溶融物２３によって、重なり合った左側縁部１１と右側縁部１２の縫合孔２１が融着している点にある（図２３）。
【００１１】
本発明に係る布製プランターの第４の特徴は、上記第１、第２および第３の何れかの特徴に加えて、（ワ）  布帛１９が熱可塑性合成繊維によって構成されており、鉢底１７において重なり合った舌片の先端部分２０が加熱され熱溶融して貫通孔２４が形成されており（図２５）、（カ）  その貫通孔２４の周囲に発生した熱溶融物によって隣り合う舌片の先端２４が貫通孔２４において融着している点にある。
【００１２】
本発明に係る布製プランターの第５の特徴は、上記第１、第２、第３および第４の何れかの特徴に加えて、（ヨ）  筒体１０の上縁部１３が筒体１０の軸芯に向かう内側に折り込まれて二重になっており、（タ）  その筒体１０の内側に折り込まれた上縁部１３の端縁２６から鉢底１７に到る距離（Ｌ）が、筒体１０の周面から軸芯に到る半径（Ｄ／２）の０．８倍以上１．２倍以下であり（図４，図１８，図２４，図２５）、（レ）  その内側に折り込まれた上縁部１３の折り目２５から筒体１０の内側に折り込まれた上縁部１３の端縁２６に到る距離（Ｈ）が、筒体１０の軸芯を通る直径（Ｄ）の０．４倍以上である点にある。
【００１３】
本発明に係る布製プランターの第６の特徴は、上記第１、第２、第３、第４および第５の何れかの特徴に加えて、（ソ）  左右の縦軸桿２７・２７と上下の横軸桿２８・２８に囲まれた一対の矩形枠２９・２９が並行に向かい合わせに立ち上げられており、（ツ）
その並行に対向する一対の矩形枠２９・２９の対向する縦軸桿２７と縦軸桿２７の間を連結桿４３・４３で連結して構成される直方体形の型枠３０の内部の格納スペースに格納されている点にある。
【００１４】
本発明に係る布製プランターの第７の特徴は、上記第１、第２、第３、第４、第５および第６の何れかの特徴に加えて、（ネ）  筒体１０の内部に水槽４０が嵌め込まれており、（ナ）  その水槽４０の中に嵩上材４１が装填しており、（ラ）  その嵩上材４１の上から水槽４０に土留め布帛４２が被せられている点にある。
【００１５】
本発明に係る布製プランターの第８の特徴は、上記第１、第２、第３、第４、第５および第６の何れかの特徴に加えて、（ム）  嵩上材４１が装填されており、その嵩上材４１の上から土留め布帛４２に被覆されている水槽４０の土留め布帛４２の上で鉢底１７が戴承されている点にある。
【００１６】
本発明に係る布製プランター格納形枠は、（ウ）  左右の縦軸桿２７・２７と上下の横軸桿２８・２８に囲まれた一対の矩形枠２９・２９が並行に向かい合わせに立ち上げられており、（ヒ）  その並行に対向する一対の矩形枠２９・２９の対向する縦軸桿２７と縦軸桿２７の間を連結桿４３・４３で連結して直方体に構成されており、（ノ）  その直方体の内部がプランターを格納する格納スペース（図１２，図１３）となっていることを特徴とする。
【００１７】
本発明に係る布製プランター格納形枠の第２の特徴は、上記第１の特徴に加えて、（オ）  矩形枠２９の縦軸桿２７が、上段パイプ３１と中段パイプ３２と下段パイプ３３との３本のパイプを、上段パイプ３１と中段パイプ３２とは３個の接続口がＴ字状に三方に配置されたＴ字形継ぎ手（以下、単に『Ｔ字形継ぎ手』と言う。）３４を介して一直線上に接続し、中段パイプ３２と下段パイプ３３もＴ字形継ぎ手３５を介して一直線上に接続し、下段パイプ３３の下端に２個の接続口がＬ字状に直交する二方向に配置されて通称『エルボ』と称されるＬ字形継ぎ手（以下、単に『Ｌ字形継ぎ手』と言う。）３６を接続して構成され、（ク）  一対の各矩形枠２９・２９が、それぞれ一対の縦軸桿２７・２７の対向する上段パイプ３１と中段パイプ３２を接続して対向している一対の上段Ｔ字形継ぎ手３４と上段Ｔ字形継ぎ手３４を横軸桿２８を介して連結すると共に、それぞれ一対の縦軸桿２７・２７の対向する下段パイプ３３の下端に接続されて対向している一対のＬ字形継ぎ手３６とＬ字形継ぎ手３６を横軸桿２８を介して連結して構成され、（ヤ）  その一対の各矩形枠２９・２９それぞれの縦軸桿２７の中段パイプ３２と下段パイプ３３連結して対向している一対の中段Ｔ字形継ぎ手３４と中段Ｔ字形継ぎ手３４を連結桿４３を介して連結して構成されており、（マ）  それらの横軸桿２８と連結桿４３が上段Ｔ字形継ぎ手３４と中段パイプ３２と下端Ｌ字形継ぎ手３６に嵌合する太さのパイプによって構成されている点にある。
【００１８】
本発明に係る布製プランター格納形枠の第３の特徴は、上記第２の特徴に加えて、（ケ）  矩形枠２９の上段パイプ３１に差し込まれて下端Ｌ字形継ぎ手３６に達する支柱３７が、矩形枠２９の縦軸桿２７に装着されている点にある。
【００１９】
本発明に係る布製プランター格納形枠の第４の特徴は、上記第３の特徴に加えて、（フ）  隣り合う支柱３７と支柱３７の間が連結糸条３８によって連結されており、（コ）
その連結糸条３８によって全ての矩形枠２９の上段パイプ３１に差し込まれて隣り合う支柱３７が数珠繋ぎになって隣り合っており、（ヘ）  その数珠繋ぎになって隣り合う支柱３７と支柱３７の間を連結している連結糸条３８が、その連結する支柱３７と支柱３７の間で被覆パイプ３９に挿通されて被覆されている点にある。
【００２０】
本発明に係る可変組立支柱は、（テ）  複数本の支柱３７・３７・３７………が連結糸条３８によって数珠繋ぎになっており、（ア）  その数珠繋ぎになって隣り合う支柱３７と支柱３７の間で連結糸条３８が被覆パイプ３９に挿通されて被覆されていることを特徴とする。
【発明の効果】
【００２１】
本発明によると、布製プランター１８が四辺形の唯一枚の布帛で構成されているので、その縫製工程に先立つ準備工程が四辺形の布片を打ち抜く一工程だけで済み、準備工程から縫製工程に到る間の布片の取り扱いに手間取ることがなく、その縫製工程も四辺形の布帛１９を折り曲げて左側縁部１１と右側縁部１２を重ね合わせ接合して筒体１０とする側縁接合工程と下縁部１４の舌片１６の先端２０を筒体１０の軸芯線上で重ね合わせて鉢底１７を形成する鉢底形成工程との二工程だけで済むので、効率的で経済的に布製プランター１８を得ることが出来る。
【００２２】
又、本発明によると、布製プランター１８の鉢底１７が軸芯線上で重ね合わされた複数条の舌片１６で構成されており、その重なり合う舌片１６と舌片１６の間には鉢底１７の周縁４８から筒体１０の軸芯に到る隙間が舌片１６の条数に応じて沢山発生し、その隙間が周縁４８から軸芯まで長く続くことから、その隙間に土壌が詰まることがなく、鉢底１７が目詰まりして根腐れを起こすことがなく、却って植物の根が鉢底１７を突き抜けて地面に達し、又、地下から湧き出る水分が布製プランター内に入り込み易くなるので、水分透過機能と植物成長促進機能に優れた布製プランターを得ること出来る。
【００２３】
四辺形の布帛１９を折り曲げて左側縁部１１と右側縁部１２を重ね合わせ接合する布製プランター１８の側縁接合工程では、左右線対称に穿設されて重なり合う複数個の縫合孔２１を偏平軸材２２によって掬い縫いするだけで済み、布製プランター１８が布製プランター効率的経済的に得られる。
そして本発明では、偏平軸材２２で縫合し得るように縫合する左側縁部１１と右側縁部１２に横方向に細長い縫合孔２１を穿設しており、縫い込んだ偏平軸材２２はその全面が布帛１９に密着し、その縫い目において偏平軸材２２が擦れ動かず確り係止される。
そして、裝填した土壌５０によって筒体１０の円周方向に所謂タガ張応力が発生しても、横方向（円周方向）に細長い複数個の縫合孔２１には、その長さが如何に長くても集中し難く、タガ張応力に耐える強靱な布製プランター１８が得られることになる。
【００２４】
その側縁接合工程で必要な複数個の縫合孔２１は、準備工程で四辺形の布片を打ち抜くと同時に打ち抜くことが出来るだけではなく（図１７，図１８）、側縁接合工程で重ね合わせた左側縁部１１と右側縁部１２に縫合孔２１の数に応じた複数個の加熱片４４の連設された加熱装置を側縁部１１・１２の外側か内側から当てることで瞬時に形成することも出来るので（図２１，図２２）、複数個の縫合孔２１を穿設することで縫製工程での生産効率が損なわれることはない。
【００２５】
そして、加熱片４４によって縫合孔２１を穿設する場合には、そのとき発生する熱可塑性合成繊維の熱溶融物２３によって重なり合う左側縁部１１の縫合孔２１と右側縁部１２の縫合孔２１が融着一体化するので、縫合孔２１に偏平軸材２２が差し込み易くなり、布製プランター１８の側縁接合工程での生産効率が高まる。
【００２６】
鉢底１７の舌片の先端部分２２の貫通孔２４は、筒体１０の軸芯線上で重なり合っている舌片の先端部分２２に加熱棒４５を当てることで穿設することが出来る（図２４）。
そのようにして穿設された貫通孔２４では、加熱片４４で穿設された縫合孔２１と膿瘍に（図２１，図２２）、加熱棒４５を当てた際に発生する熱可塑性合成繊維の熱溶融物によって重なり合う舌片１６の先端部分２２が融着一体化するので、布製プランター１８の鉢底形成工程での生産効率が向上する。
【００２７】
このように加熱棒４５で穿設された鉢底の貫通孔２４は、加熱片４４で側縁に穿設された縫合孔２１とは異なり、布製プランター１８の使用中に鉢底１７に加わる張力が貫通孔２４に集中して作用せず、その張力は舌片１６の数に応じて鉢底１７の周縁４８へと放射状に分散される。そして舌片１６の数が多くなれば加熱棒４５を当てて発生する熱可塑性合成繊維の熱溶融物の量も増えるので、貫通孔２４を中心にして全ての舌片が強固に結束されることになり、貫通孔２４の周辺から鉢底１７が破れ易くなることはない。
【００２８】
円筒形を成す布製プランター１８は、その周面を直径方向に押し潰すと、その周面を表裏に分ける折り目４６・４６が上縁部１３の左右に発生し、その折り目４６・４６は筒体１０の軸芯を通って鉢底１７を二等分する二等分線４７に交叉する位置まで続く。その二等分線４７と折り目４６・４６との交点Ｐから鉢底の周縁４８の距離Ｋは筒体１０の半径（Ｄ／２）に略等しくなる。従って、布製プランター１８の周面の上縁４９から交点Ｐまで続く上縁部１３と交点Ｐから鉢底の周縁４８まで続く下縁部１４との間に強度差を付けておけば、その強度差に応じて交点Ｐに到る折り目４６・４６が布製プランター１８の周面に発生し易くなり、その交点Ｐに到る折り目４６・４６を付けて布製プランター１８の周面が押し潰し易くなる訳である（図６，図７）。
【００２９】
そして、その交点Ｐに到る折り目４６・４６を付けると、周面が押し潰され易くなり、その交点Ｐを通る鉢底１７の二等分線４７に沿って、布製プランター１８の周面に鉢底１７が折り重なるように押し倒し易くなる。そのように、折り目４６・４６を付けておくと，周面を押し潰し、二等分線４７に沿って鉢底１７を押し倒し、布製プランター１８を平板に押し潰し易くなる。
【００３０】
そのようにして平板に押し潰された布製プランター１８は、左側縁部１１と右側縁部１２を寄せ合わせる方向に三つ折りし易くなり、それを三つ折りして包装し易くなる（図８，図９）。従って、上縁部１３を内側に折り込んで筒体１０の周面を二重すると共に、その折り込まれた上縁部１３の端縁２６から鉢底１７に到る距離（Ｌ）を、筒体１０の直径（Ｄ）の０．８倍以上１．２倍以下にし（図４，図１８，図２４，図２５）、その折り込まれた周面の折り目２５から上縁部１３の端縁２６に到る距離（Ｈ）を筒体１０の直径（Ｄ）の０．４倍以上にするときは、折り込まれて二重になった上縁部１３と上縁部１３が折り重ならない下縁部１４との間に布帛の厚みに応じた強度上の段差が発生し、三つ折りしてコンパクトに包装し、収納、保管、輸送、陳列に嵩張らず、店頭に陳列し易い布製プランター１８が得られる。
【００３１】
本発明の布製プランター１８は一対の矩形枠２９・２９が並行に向かい合った直方体形のプランター格納型枠３０の内部の格納スペース（図１２，図１３）に格納されており、その縦軸桿２７に支柱３７を係止することで布製プランター１８に付設することが出来、支柱３７を付設することで布製プランター１８の構造が複雑になり取り扱い難くなることはない。
【００３２】
そのプランター格納型枠３０を上段パイプ３１と中段パイプ３２と下段パイプ３３との３本のパイプを、上段パイプ３１と中段パイプ３２とはＴ字形継ぎ手３４を介して一直線上に接続され、中段パイプ３２と下段パイプ３３もＴ字形継ぎ手３５を介して一直線上に接続され、下段パイプ３３の下端にＬ字形継ぎ手３６を接続して矩形枠２９の縦軸桿２７を構成し、その一対の各矩形枠２９・２９をそれぞれ一対の縦軸桿２７・２７の対向する上段パイプ３１と中段パイプ３２を接続している上段Ｔ字形継ぎ手３４と上段Ｔ字形継ぎ手３４を横軸桿２８を介して連結すると共に下段パイプ３３の下端に接続されているＬ字形継ぎ手３６とＬ字形継ぎ手３６を横軸桿２８を介して連結して構成し、その一対の各矩形枠２９・２９それぞれの縦軸桿２７の中段パイプ３２と下段パイプ３３連結している中段Ｔ字形継ぎ手３４と中段Ｔ字形継ぎ手３４を連結桿４３を介して連結し、それらの横軸桿２８と連結桿４３にパイプを使用するときは、縦軸桿２７に差し込むことが出来るので支柱３７を支持する治具を布製プランター本体に付設する必要がなくなる。そして接続可能な上段と中段と下段の各パイプ３１・３２・３３やＴ字形継ぎ手３４・３５やＬ字形継ぎ手３６としては水道管や継ぎ手が市販されているので、その一般市販の水道管や継ぎ手を使用して矩形枠２９やプランター格納型枠３０を随時作成し得る点でも本発明は極めて実用的である。それ故に、プランター格納型枠３０の材料として一般市販の水道管（ライニング管）と継ぎ手（Ｔ字形継ぎ手やＬ字形継ぎ手）を使用することが推奨される。
【００３３】
プランター格納型枠３０の側面が縦軸桿２７・２７と横軸桿２８・２８で囲まれた矩形枠２９で構成され、その縦軸桿２７・２７と横軸桿２８・２８で囲まれた枠内には在来の横長のプランターを差し込むことができるので、プランター格納型枠３０は在来の横長のプランターに支柱を立てる治具としても使用し得るので好都合である。
【００３４】
縦軸桿２７に差し込んで支柱３７を立てるときは、その差し込んだ支柱３７によって上段パイプ３１と中段パイプ３２と下段パイプ３３が数珠繋ぎになるので、その差し込んだ支柱３７によって縦軸桿２７が補強されることにもなる。
【００３５】
本発明によると、プランター格納型枠３０に支持されて隣り合う支柱３７と支柱３７の間が連結糸条３８によって連結され、その連結糸条３８によって全ての上段パイプ３１に差し込まれて隣り合う支柱３７が数珠繋ぎになっており、その支柱３７と支柱３７の間を連結している連結糸条３８が支柱３７と支柱３７の間で被覆パイプ３９に被覆されており、支柱３７と支柱３７の間を押し広げようとする場合には連結糸条３８に緊張されて支柱３７と支柱３７の間が広がらず、支柱３７と支柱３７の間を狭めようとする場合には被覆パイプ３９からの抗力を受けて支柱３７と支柱３７の間を狭めることは出来ず、支柱３７と支柱３７の間が常に一定に保たれる。
【００３６】
そして、支柱３７と支柱３７の間が、柔軟可撓で曲折自在な連結糸条３８によって連結されたピン接合になっており、端末の連結糸条３８を解けば、その端末の支柱３７と被覆パイプ３９を連結糸条３８から取り外し、或いは、新たな支柱３７と被覆パイプ３９を連結糸条３８の端末に追加して数珠繋ぎになっている支柱３７の本数を自由に変えることが出来る。そのようにして数珠繋ぎになっている支柱３７の本数を変えると共に支柱３７を挟んで隣り合う被覆パイプ３９と被覆パイプ３９の交叉角度を変えることによって、平面視三角形の合成支柱（図１６ａ）、平面視三角形の合成支柱（図１６ｂ）、平面視四角形の合成支柱（図１６ｃ）、平面視五角形の合成支柱（図１６ｄ）、平面視六角形の合成支柱（図１６ｅ）、平面視八角形の合成支柱（図１６ｆ）、平面視十六角形の合成支柱（図１６ｇ）、平面視長方形の合成支柱（図１６ｈ）等、平面視形状の異なる種々の合成支柱を得ることが出来る。その場合、その平面視多角形に内接するリングや外接リングを嵌め込み、或いは、四角形以上の多角形の対角線を補強用連結糸条を介して連結すると共に補強用連結糸条を被覆パイプで被覆することによって、それらの合成支柱を形状安定なトラスト構造にすることも出来る。
【００３７】
布製プランター１８の筒体１０の内部に水槽４０を嵌め込み、その水槽４０の中に嵩上材４１を装填し、その嵩上材４１の上に被せた土留め布帛４２に土壌５０を堆積すると、水槽４０に貯えられた水は湿気となって土留め布帛４２を透過して土壌５０に浸透するので底面潅水方式で植栽することが出来、植物への散水作業が楽になり、多量の水分を必要とする茄子の植栽に好適で酷暑の夏期の水遣り作業から解放される。
【００３８】
このことは、水槽４０に装填された嵩上材４１の上に土留め布帛４２を敷き込み、土留め布帛４２に布製プランター１８を戴承して使用する場合も同様である。
【００３９】
このように、本発明によると、底面潅水に適した布製プランター１８が得られる。
【図面の簡単な説明】
【００４０】
【図１】本発明に係る布製プランターの材料布帛の平面図である。
【図２】本発明に係る布製プランターの材料布帛の平面図である。
【図３】本発明に係る布製プランターの縫合箇所の拡大斜視図である。
【図４】本発明に係る布製プランターの作成過程の斜視図である。
【図５】本発明に係る布製プランターの作成過程の斜視図である。
【図６】本発明に係る折畳過程での布製プランターの斜視図である。
【図７】本発明に係る折畳過程での布製プランターの斜視図である。
【図８】本発明に係る折畳過程での布製プランターの斜視図である。
【図９】本発明に係る折畳過程での布製プランターの斜視図である。
【図１０】本発明に係るプランター型枠の斜視図である。
【図１１】本発明に係るプランター型枠の組立斜視図である。
【図１２】本発明に係る布製プランターの斜視図である。
【図１３】本発明に係る布製プランターの斜視図である。
【図１４】本発明に係るプランター型枠の使用状態での斜視図である。
【図１５】本発明に係る布製プランターの支柱の組立斜視図である。
【図１６】本発明に係る布製プランターの支柱の斜視図である。
【図１７】本発明に係る布製プランターの材料布帛の平面図である。
【図１８】本発明に係る布製プランターの材料布帛の平面図である。
【図１９】本発明に係る布製プランターの作成過程の斜視図である。
【図２０】本発明に係る布製プランターの作成過程の斜視図である。
【図２１】本発明に係る布製プランターの作成過程の斜視図である。
【図２２】本発明に係る布製プランターの作成過程の斜視図である。
【図２３】本発明に係る布製プランターの嵌合孔の穿設箇所の斜視図である。
【図２４】本発明に係る布製プランターの作成過程の斜視図である。
【図２５】本発明に係る布製プランターの作成過程の斜視図である。
【図２６】本発明に係る布製プランターの材料布帛の平面図である。
【図２７】本発明に係る布製プランターの作成過程の斜視図である。
【図２８】本発明に係る布製プランターの作成過程の斜視図である。
【図２９】本発明に係る布製プランターの作成過程の斜視図である。
【図３０】本発明に係る布製プランターの作成過程の斜視図である。
【図３１】本発明に係る布製プランターの作成過程の斜視図である。
【図３２】本発明に係る布製プランターの鉢底の貫通孔の穿設箇所の斜視図である。
【図３３】本発明に係る布製プランターの材料布帛の平面図である。
【図３４】本発明に係る布製プランターの使用状態での斜視図である。
【図３５】本発明に係る布製プランターの使用状態での斜視図である。
【図３６】本発明に係る布製プランターの使用状態での斜視図である。
【図３７】本発明に係る布製プランターの作成過程の斜視図である。
【図３８】本発明に係る布製プランターの使用状態での斜視図である。
【図３９】本発明に係る布製プランターの断面正面図である。
【図４０】本発明に係る布製プランターの断面正面図である。
【発明を実施するための形態】
【００４１】
布帛１９の上縁部１３と下縁部１４の間に折り目２５を付け上縁部１３の端縁２６を筒体１０の内側に織り込んで周面を二重にする場合、その折り目２５を細かく連続するミシン目によって付設しておくとよい（図２，図１８）。その場合、筒体１０の直径Ｄは布帛１９の左側縁部１１から右側縁部１２に到る横幅Ｗの約三分の一（Ｄ＝Ｗ÷π）となることから、鉢底の周縁４８から上縁部の端縁２６に到る布帛１９の寸法Ｑを筒体１０の直径Ｄの約２．５倍（Ｑ≒２．５Ｄ）に設定し、上縁部１３と下縁部１４の間の折り目２５から上縁部の端縁２６に到る距離Ｈを筒体１０の直径Ｄに設定すると（Ｈ＝Ｄ）（図２，図１８）、筒体１０の内側に織り込まれた上縁部１３の端縁２６から鉢底の周縁４８に到る距離Ｌは筒体１０の半径（Ｄ／２）に略等しくなる（図４，図２４，図２５）。
【００４２】
そのように筒体１０の内側に織り込まれた上縁部１３の端縁２６から鉢底の周縁４８に到る距離Ｌが筒体１０の半径（Ｄ／２）に略等しくなるように（Ｌ≒０．５Ｄ）布帛１９の寸法Ｑを筒体１０の直径Ｄの約２．５倍（Ｑ≒２．５Ｄ）に設定し、上縁部１３と下縁部１４の間の折り目２５から上縁部の端縁２６に到る距離Ｈを筒体１０の直径Ｄに設定すると（Ｈ＝Ｄ）、その上縁部の端縁２６を境にして折り目２５である布製プランター１８の上縁４９から上縁部の端縁２６に到る折り返し部分と折り目２５である布製プランター１８の上縁４９から鉢底の周縁４８に到る部分との間に布帛１９の厚みに応じた強度上の段差が発生する。そうすると、布製プランター１８の周面を直径方向（Ｄ）に押し潰すとき、その周面を表裏に分ける折り目４６・４６が上縁部１３の左右に発生し、その折り目４６・４６は筒体１０の軸芯を通って鉢底１７を二等分する二等分線４７に交叉する位置まで続く。その二等分線４７と折り目４６・４６との交点Ｐから鉢底の周縁４８の距離Ｋは筒体１０の半径に略等しくなり（Ｋ≒０．５Ｄ）、又、内側に織り込まれた上縁部１３の端縁２６から鉢底の周縁４８に到る距離Ｌに略等しくなる（Ｋ≒０．５Ｄ≒Ｌ）。
その結果、布製プランター１８を直径方向（Ｄ）に押し潰して軸芯方向に発生する周面左右の折り目４６・４６は、筒体１０の軸芯を通って鉢底１７を二等分する二等分線４７に交叉する位置（交点Ｐ）で止まり易くなり、布製プランター１８を平板に押し潰し（図７）、更に三つ折りして包装し易くなる（図８，図９）。
【００４３】
鉢底１７の中心部に貫通孔２４を綺麗に穿設するためには、舌片１６の長さを筒体１０の半径（Ｄ／２）よりも舌片１６の幅の半分程度に若干長くして折り畳んだ舌片１６の先端２０が鉢底１７の中心部で重なり、その中心部に前記の通り加熱棒４５を当てて加熱溶融することも一法であるが、上縁部１３の切込溝１５や左右の側縁部１１・１２の縫合孔２１を打ち抜く裁断工程で切込溝１５や縫合孔２１と同時に舌片１６の先端２０に予備孔５１を穿設しておくとよい。先端２０が鉢底１７の中心部で重なり合うように舌片１６を折り込む際には、鉢底１７の中心部に該当する位置に仮止めピン６４を配置しておき、その仮止めピン６４に予備孔５１を嵌め合わせて舌片１６を折り込み、その仮止めピン６４によって予備孔５１の位置を合わせる。
【００４４】
このように仮止めピン６４によって位置合わせをし、重なり合った予備孔５１に、Ｕ字状に折り返した綴紐５２（図３２ａ）を差し込んだパイプ３５（図３２ｂ）を挿入し、クリップ５８（図３２ｃ）で把持し（図３２ｄ）、パイプ３５から突出した綴紐５２の折り返し輪奈５４に止め具５５（図３２ｅ）を差し込んでパイプ３５だけを予備孔５１から抜き取り、予備孔５１から突出している輪奈５４の端末５６・５６に止め具５７を挟み込んで端末５６・５６を結束し、表裏の止め具５５・５７の間で重なり合った舌片１６を締束し（図３２ｆ〜図３２ｈ）、その締束後の予備孔５１が貫通孔２４となる。このとき使用する綴紐５２を差し込んだパイプ３５は仮止めピン６４に代用することが出来る。
予備孔５１ｈと仮止めピン６４は、加熱棒４５で貫通孔２４を穿設する際に、その貫通孔２４の位置合わせに利用することが出来る。従って、加熱棒４５で貫通孔２４を穿設する場合も、舌片１６の先端部分２９に予備孔５１ｈを穿設しておくことが推奨される。
【００４５】
布帛１９は、左側縁と右側縁が線対称に対向する四辺形であればよく、上縁部１３と下縁部１４は弓形に縁取られていてもよく、下縁部１４から上縁部１３にかけて末広がりになる扇形に裁断することも出来る（図３３）。そのように布帛１９を扇形に裁断するときは、円錐形の布製プランターが形成される（図３４）。
【００４６】
左側縁部１１と右側縁部１２を縫合するには、細長い縫合孔２１の長孔の両端に密着する横幅を有する厚みが０．３ｍｍ乃至１．５ｍｍで概して１．０ｍｍ前後で布製プランター１８の深さである周面の上縁４９から鉢底の周縁４８までの寸法よりも長く、縫い針のように先端が縫合孔２１に遊嵌する尖端形を成し、後端に偏平軸材２２が挿通し得る挿通孔を有する平板状治具を縫合孔２１に差し込んで偏平軸材２２を縫い込む。
その平板状治具は、金属製のもの、特にステンレス製のものが望ましいが、縫合孔２１に差し込み易く、縫合孔２１に差し込んだ際に折れ曲がらないものであればポリエステルやポリカーボネート、カーボンファイバー等のプラスチック製のものであってもよい。
【００４７】
偏平軸材２２には、細長い縫合孔２１の長孔の両端に密着する横幅を有し耐蝕性を有する布帛製テープや合成樹脂製テープ、金属製テープが使用される。又、偏平軸材２２には、縫合孔２１に差し込み易く、縫合孔２１に差し込んだ際に折れ曲がらないものであれば、合成樹脂製細幅平板や金属製細幅平板、竹製細幅平板、木製細幅平板等の硬質細幅平板を使用することが出来る。偏平軸材２２に硬質細幅平板を使用する場合は、釘や竹串のように平板状治具を使用することなく直接縫合孔２１に差し込み、その布帛１９に縫い込んだまま使用することが出来る。
【００４８】
布帛１９には、織物、編物、不織布の何れも使用することが出来る。しかし、裁断口からの解れを回避すると共に、差し込んだ偏平軸材２２の縫合孔２１での擦れを回避するためには不織布を布帛１９に使用すること、特に、加熱して縫合孔２１や貫通孔２４を穿設し得るようにナイロン、ポリエステル、ポリエチレン、ポリプロピレン等の熱可塑性合成繊維製不織布を布帛１９に使用することが望ましい。そして、不織布は織物や編物に比して毛羽立っており、左側縁部１１と右側縁部１２の縫合箇所では偏平軸材２２と縫合孔２１が絡み合って密着するので、差し込んだ偏平軸材２２の縫合孔２１での擦れを回避するためには、偏平軸材２２にも熱可塑性合成繊維製不織布を使用することが望まれる。
【産業上の利用可能性】
【００４９】
布製プランター１８は、在来の素焼きの植木鉢と同様に円筒内部に土壌５０を挿填して使用される（図３５）。土砂の挿填された布製プランター１８は、歌壇や菜園を縁取る煉瓦やブロックに代用することが出来る。しかし、本発明の布製プランター１８は、土木工事用土嚢ではなく、煉瓦やブロックに代用するとしても筒体１０の上部開口を綴じる必要はなく、筒体１０の上部開口を開放して煉瓦やブロックに代用され、その代用時に上部開口に植栽し、グリーン煉瓦やグリーンブロックとして歌壇や菜園の飾りとして使用され、上部開口に植栽しない場合は土嚢を休養させる土嚢貯蔵容器を兼ねて煉瓦やブロックに代用される。
【００５０】
細長く構成された布製プランター１８は、それで囲んで苗室や堆肥室、生ゴミ捨て場を形成するために使用することが出来る。その場合、桶のように板材５９を筒体１０に差し込み、筒体１０の内壁に沿って板材５９を並べ、板材５９によって布製プランター１８を補強するとよい（図３７）。板材５９による補強は、長芋や牛蒡、大根等の大型根菜類用布製プランター１８に施しておくとよい。
細長く構成された布製プランター１８で苗室や堆肥室、生ゴミ捨て場などの囲いを形成する場合は、筏を組むように芯材６１を間に挟み込み、ロープ６０で芯材６１に縛り付けて使用するとよい（図３８）。
【００５１】
形枠３９は、下段の横軸桿２３をコンクリートブロックの空洞に差し込んで組み立て、そのコンクリートブロックによって固定して使用することが出来る（図１２）。
その重石となるコンクリートブロックは、布製プランター１８を格納する格納スペースに嵌め込み、コンクリートブロックによって下段の横軸桿２３を押さえて使用することも出来る（図１３）。形枠３９は、その格納スペースに嵌め込んだプランター６３で下段の横軸桿２３を押さえて使用することも出来る（図１４）。
【００５２】
前記の通り、プランター格納型枠３０の材料として一般市販の水道管と継ぎ手（Ｔ字形継ぎ手やＬ字形継ぎ手）を使用することが推奨される。それ故、プランター格納型枠３０は、それだけで、或いは、布製プランター１８を格納し、適宜観葉植物を植栽し、或いはインテリア製品のように塗装を施して綺麗に仕上げ、又、支柱３７を装着して、水道管や継ぎ手を販売する水道工事用具の販売店の店頭や販売コーナーに展示し、水道管（ライニング管）と継ぎ手（Ｔ字形継ぎ手やＬ字形継ぎ手）の広告宣伝販促手段として利用することも出来る。
【００５３】
プランター格納型枠３０に装着した組立支柱（図１５，図１６）は、衣類掛け、干し物糧、傘掛け等、種々の品物を被覆パイプ３９に引っ掛けて吊るす支柱として利用することも出来る。
【符号の説明】
【００５４】
１０：筒体
１１：左側縁部
１２：右側縁部
１３：上縁部
１４：下縁部
１５：切込溝
１６：舌片
１７：鉢底
１８：布製プランター
１９：布帛
２０：先端
２１：縫合孔
２２：偏平軸材
２３：熱溶融物
２４：貫通孔
２５：折り目
２６：端縁
２７：縦軸桿
２８：横軸桿
２９：矩形枠
３０：形枠
３１：上段パイプ
３２：中段パイプ
３３：舌段パイプ
３４：Ｔ字形継ぎ手
３５：Ｔ字形継ぎ手
３６：Ｌ字形継ぎ手
３７：支柱
３８：連結糸条
３９：被覆パイプ
４０：水槽
４１：嵩上材
４２：土留め布帛
４３：連結桿
４４：加熱片
４５：加熱棒
４６：折り目
４７：二等分線
４８：周縁
４９：上縁
５０：土壌
５１：予備孔
５２：綴紐
５３：被覆パイプ
５４：輪奈
５５：止め具
５６：端末
５７：止め具
５８：クリップ
５９：板材
６０：ロープ
６１：芯材
６２：ブロック
６３：プランター
６４：仮止ピン
【図１】
2017018027.tif 000003
【図２】
2017018027.tif 000004
【図３】
2017018027.tif 000005
【図４】
2017018027.tif 000006
【図５】
2017018027.tif 000007
【図６】
2017018027.tif 000008
【図７】
2017018027.tif 000009
【図８】
2017018027.tif 000010
【図９】
2017018027.tif 000011
【図１０】
2017018027.tif 000012
【図１１】
2017018027.tif 000013
【図１２】
2017018027.tif 000014
【図１３】
2017018027.tif 000015
【図１４】
2017018027.tif 000016
【図１５】
2017018027.tif 000017
【図１６】
2017018027.tif 000018
【図１７】
2017018027.tif 000019
【図１８】
2017018027.tif 000020
【図１９】
2017018027.tif 000021
【図２０】
2017018027.tif 000022
【図２１】
2017018027.tif 000023
【図２２】
2017018027.tif 000024
【図２３】
2017018027.tif 000025
【図２４】
2017018027.tif 000026
【図２５】
2017018027.tif 000027
【図２６】
2017018027.tif 000028
【図２７】
2017018027.tif 000029
【図２８】
2017018027.tif 000030
【図２９】
2017018027.tif 000031
【図３０】
2017018027.tif 000032
【図３１】
2017018027.tif 000033
【図３２】
2017018027.tif 000034
【図３３】
2017018027.tif 000035
【図３４】
2017018027.tif 000036
【図３５】
2017018027.tif 000037
【図３６】
2017018027.tif 000038
【図３７】
2017018027.tif 000039
【図３８】
2017018027.tif 000040
【図３９】
2017018027.tif 000041
【図４０】
2017018027.tif 000042